(57)【要約】      【課題】  耳掻きは、外耳道に付着している耳垢を掻き取るために傷を付け易く、また、ステンレス製や鉄製のものは、アレルギーの防止の為に、金メッキを施すことが好適なものであが、細線ワイヤー２に金メッキ加工を施した後に曲げ加工をすると曲げ部分のメッキがはげ落ち易くなっていた。      【解決手段】  本考案は、断面扁平状の金属製の柄部３と、柄部３の先端面に刻設した扁平状の稍深い挿通部３ａと、複数の細線ワイヤー２と、細線ワイヤー２の中程をＵ字状に湾曲させると共に片面側に屈曲させた耳垢掻き部２ａと、細線ワイヤー２の基端を平面状に並べて接合した接合基端２ｂとを備え、耳垢掻き部２ａは同一面側に向けると共に内側から外側に並設し、接合基端２ｂを挿通部３ａに挿通して接着固定させたものであり、更に、細線ワイヤー２は耳垢掻き部２ａを成形後にメッキ加工を実施したものである。      【選択図】  図１
0003128371.tif 000002
【実用新案登録請求の範囲】
【請求項１】
断面扁平状の金属製の柄部と、該柄部の先端面に刻設した扁平状の稍深い挿通部と、弾性特性を有した金属製の複数の細線ワイヤーと、該夫々の細線ワイヤーの中程をサイズを相違させてＵ字状に湾曲させると共に片面側に屈曲させた耳垢掻き部と、該耳垢掻き部を先端に形成した複数の細線ワイヤーの基端を平面状に並べて接合した接合基端とを備え、前記夫々の耳垢掻き部は同一面側に向けると共に内側から外側に並設し、前記接合基端を前記挿通部に挿通して接着固定させたことを特徴とするワイヤー式耳掻き具。
【請求項２】
前記柄部は、黄銅製の円棒に円形の挿通部を刻設してプレスで押圧して断面扁平状に形成したことを特徴とする請求項１に記載のワイヤー式耳掻き具。
【請求項３】
前記柄部は、表面に研磨加工又は梨地加工又はヘアライン加工の表面加工を実施して、その後にメッキ加工したことを特徴とする請求項２に記載のワイヤー式耳掻き具。
【請求項４】
前記複数の細線ワイヤーは、ステンレス製又は鉄製であることを特徴とする請求項１〜３のいずれか一項に記載のワイヤー式耳掻き具。
【請求項５】
前記細線ワイヤーは、耳垢掻き部を成形後にメッキ加工を実施したことを特徴とする請求項１〜４のいずれか一項に記載のワイヤー式耳掻き具。
【請求項６】
前記挿通部の開口縁部にメッキが剥離しない程度にカシメ加工したことを特徴とする請求項１〜５のいずれか一項に記載のワイヤー式耳掻き具。
【考案の詳細な説明】
【技術分野】
【０００１】
本考案は、耳垢を掻き取るためのワイヤー式耳掻き具に関するものであり、更に詳細には、弾性を材料特性とする複数の金属細線であるワイヤーで耳垢掻き部を形成して耳垢を掻き取るワイヤー式耳掻き具に関するものである。
【背景技術】
【０００２】
従来、耳垢を掻き取るための耳掻きは、竹製のものが多く用いられていたが、材料の選別や、製造工程の殆どが手作業であることから、大量生産ができず、大量生産が可能な合成樹脂製のものや金属製のものが使用されている。
【０００３】
特に、耳掻きは使用する人により、柄部の持ち加減や耳掻き部の弾性などの使い心地が微妙に相違して夫々お気に入りの耳掻きを見つけることがなかなか困難な実情である。
【０００４】
その為に、適宜な弾性を有するステンレス線やピアノ線の金属製の複数の細線ワイヤーに耳掻き部を形成された耳掻きが開発されて市販されている。
【０００５】
例えば、先に開示されている、針金（１）の片方に耳かき部（２）を設け、もう一方の端に取っ手（３）を設けたもの（特許文献１参照）や、耳かきの掻く部分をチタン材（チタン、チタン合金、チタン形状記憶合金、通称ゴムメタル）を用いたワイヤーを使用した耳かきとする。または、耳かきの掻く部分をチタン材（チタン、チタン合金、チタン形状記憶合金、通称ゴムメタル）を使用したワイヤー状、及びワイヤー状を組み合わせた一体成形の耳かきとするもの（特許文献２参照）や、棒状の金属製柄部材１の先端面に装着穴１１を掘削した後、装着穴の外周部分を扁平に押圧変形させ、別に複数本の金属細線を所定の形状に形成すると共に、基端部分を並べて平面状に配置し、前記基端部分を溶接又は接着して作用部材を形成し、前記扁平装着穴に作用部材の基端部分を挿入し、棒状柄部材全体をプレス加工で所望の形状に形成して、作用部材と柄部材とを一体としてなるもの（特許文献３参照）がある。
【特許文献１】特開平８−５２０９１号公報
【特許文献２】特開２００４−８９５８５号公報
【特許文献３】特開２００４−３０５３５７号公報
【考案の開示】
【考案が解決しようとする課題】
【０００６】
然し乍ら、周知のように耳掻きは、皮膚が薄くて敏感な外耳道に付着している耳垢を掻き取るために傷を付け易いため、柄部と細線ワイヤーとは形成後にできるだけの加工をしないことが安全な耳掻き具を提供するものであり、また、ステンレス製や鉄製のものは、金属アレルギーが懸念されるもので、アレルギーの防止と高級感を醸し出すためや、細い細線ワイヤーの破損等を識別しやすくする為に、柄部や細線ワイヤーの表面に金メッキを施すことが好適なものであるが、前記夫々の特許文献にはその開示がされていないものである。
【０００７】
また、特許文献３に記載のものは、基端部分を溶接又は接着して作用部材を形成し、扁平装着穴に作用部材の基端部分を挿入し、棒状柄部材全体をプレス加工で所望の形状に形成して、作用部材と柄部材とを一体としてなるものであるが、つまり、作用部材と柄部材との取り付けをプレスすることで一体化しているので、図６に図示するように、装着部の柄部材の外周にバリＡが発生し、このバリＡを研磨加工により削り取っていたが、研磨加工により細線ワイヤー２を傷めたり、図７に図示するように、平坦状に削ってしまって危険部位Ｂに成ってしまうことが屡々発生するものであった。
【０００８】
更に、細線ワイヤー２に金メッキ加工を施した後に曲げ加工をすると曲げ部分のメッキがはげ落ち易く、また、金メッキの下処理としてニッケルメッキが必要であり、このために組み立てた後にメッキ加工を施すと、図５に図示するように、細線ワイヤー２のお互いの間を継ぐようにメッキが着かなくするために、分離線Ｃを各細線ワイヤー２の間に挿通させて行うが、分離線Ｃを後で取り除くと、細線ワイヤー２に分離線Ｃの痕が残留するものであった。また、細線ワイヤー２と柄部３の付け根部分の僅かな隙間にメッキ液が残留し時間の経過と共に、黒ずみが発生しやすく入念な洗浄が必要となっていた。
【課題を解決するための手段】
【０００９】
本考案のワイヤー式耳掻き具は、前述の課題に鑑み、鋭意研鑽の結果、断面扁平状の柄部と、柄部の先端面に刻設した扁平状の稍深い挿通部と、複数の細線ワイヤーと、細線ワイヤーをサイズを相違させてＵ字状に湾曲させると共に片面側に屈曲させた耳垢掻き部と、耳垢掻き部を先端に形成した細線ワイヤーの基端を接合した接合基端とを備え、耳垢掻き部は同一面側に向けると共に内側から外側に並設し、接合基端を挿通部に挿通して接着固定させたものであり、更に、柄部は、金属製円棒に円形の挿通部を刻設してプレスで押圧して断面扁平状に形成したものであり、更には、柄部は、表面に研磨加工又は梨地加工又はヘアライン加工の表面加工を実施して、その後にメッキ加工したものであり、加えて、細線ワイヤーは、耳垢掻き部を成形後にメッキ加工を実施したものであり、また、挿通部の開口縁部にメッキが剥離しない程度にカシメ加工したものである。
【考案の効果】
【００１０】
本考案のワイヤー式耳掻き具は、柄部は、金属製円棒に円形の挿通部を刻設してプレスで押圧して断面扁平状に形成し、その後に表面に研磨加工又は梨地加工又はヘアライン加工の表面加工を実施して、メッキ加工したもので、細線ワイヤーはサイズを相違させてＵ字状に湾曲させると共に片面側に屈曲させた耳垢掻き部を形成した後にメッキ加工を施して、基端を平面状に並べて接合した接合基端を形成し、接合基端を挿通部に挿通して接着固定させたもので、接着固定後に研磨加工等の加工を施す必要がないため、細線ワイヤーを傷めたり、削ったりすることが皆無のもので製品の安全性、歩留まりの大幅な向上となり、実用性の高い考案である。
【考案を実施するための最良の形態】
【００１１】
以下、本考案のワイヤー式耳掻き具の実施例の図面によって具体的に説明すると、図１は本考案のワイヤー式耳掻き具の実施例を説明するための斜視図であり、図２は本考案のワイヤー式耳掻き具の次実施例の斜視図であり、図３は本考案のワイヤー式耳掻き具の実施例の分解斜視図であり、図４は本考案のワイヤー式耳掻き具の実施例の組立後の透視図であり、図５は従来のワイヤー式耳掻き具の従来例の斜視図であり、図６は従来のワイヤー式耳掻き具の次従来例の斜視図であり、図７は従来のワイヤー式耳掻き具の他の従来例の側面説明図である。
【００１２】
本考案は、耳垢を掻き取るためのワイヤー式耳掻き具１に関するものであり、更に詳細には、弾性を材料特性とする複数の金属の細線である細線ワイヤー２で耳垢掻き部２ａを形成して耳垢を掻き取るワイヤー式耳掻き具１に関するものであり、請求項１に記載のワイヤー式耳掻き具は、断面扁平状の金属製の柄部３と、該柄部３の先端面に刻設した扁平状の稍深い挿通部３ａと、弾性特性を有した金属製の複数の細線ワイヤー２と、該夫々の細線ワイヤー２の中程をサイズを相違させてＵ字状に湾曲させると共に片面側に屈曲させた耳垢掻き部２ａと、該耳垢掻き部２ａを先端に形成した複数の細線ワイヤー２の基端を平面状に並べて接合した接合基端２ｂとを備え、前記夫々の耳垢掻き部２ａは同一面側に向けると共に内側から外側に並設し、前記接合基端２ｂを前記挿通部３ａに挿通して接着固定させたことを特徴とするものである。
【００１３】
更に、請求項２に記載のワイヤー式耳掻き具は、請求項１に記載のワイヤー式耳掻き具において、前記柄部３は、金属製円棒に円形の挿通部３ａを刻設してプレスで押圧して断面扁平状に形成したことを特徴とするものである。
【００１４】
更には、請求項３に記載のワイヤー式耳掻き具は、請求項２に記載のワイヤー式耳掻き具において、前記柄部３は、表面に研磨加工又は梨地加工又はヘアライン加工の表面加工を実施して、その後にメッキ加工したことを特徴とするものである。
【００１５】
加えて、請求項４に記載のワイヤー式耳掻き具は、請求項１〜３のいずれか一項に記載のワイヤー式耳掻き具において、前記細線ワイヤー２は、耳垢掻き部２ａを成形後にメッキ加工を実施したことを特徴とするものである。
【００１６】
また、請求項５に記載のワイヤー式耳掻き具は、請求項１〜４のいずれか一項に記載のワイヤー式耳掻き具において、前記挿通部３ａの開口縁部にメッキが剥離しない程度にカシメ加工したことを特徴とするものである。
【実施例】
【００１７】
即ち、本考案のワイヤー式耳掻き具１は、図１〜図４に図示する如く、柄部３と複数の細線ワイヤー２とから成るのである。
【００１８】
そして、柄部３は、人間の指で把持し易い太さで、耳垢を掻き出し易い断面扁平状とに形成されているものである。
【００１９】
次に、挿通部３ａは、柄部３の先端面に刻設しているもので、柄部３の断面形状に沿った扁平状の稍深い８ｍｍ程度の有底の孔であり、後述する複数の細線ワイヤー２の接合基端２ｂを挿通して接着固定するものである。
【００２０】
次いで、複数の金属製の細線ワイヤー２は適宜な弾性特性を有しているものであり、図示する実施例のように、最適には３本であるが、２〜４本であっても構わないものである。
【００２１】
更に、耳垢掻き部２ａは、複数の細線ワイヤー２の中程を夫々サイズを相違させてＵ字状に湾曲させると共に、夫々片面側に屈曲させて周知の耳掻きの耳掻き部と同様な外形状に形成しているものである。
【００２２】
更には、接合基端２ｂは、先端に耳垢掻き部２ａを夫々形成した複数の細線ワイヤー２の基端を揃えて平面状に並べて接着、鑞付け、半田付け等の手段によって接合したものである。
【００２３】
そして、サイズを相違させて形成した複数の細線ワイヤー２の耳垢掻き部２ａは、夫々適宜な隙間を設けて同一面側に並設するものである。
【００２４】
次いで、接合基端２ｂを挿通部３ａに挿通して接着固定させるものであり、接合基端２ｂに接着剤４を塗布して挿通し経時を経ることで接着固定されるもので、接着剤４はエポキシ系樹脂やシアノアクリレート系樹脂等を用いるものである。
【００２５】
次に、柄部３は、黄銅製の金属製の円棒に深さが８ｍｍ程度の円形の挿通部３ａを切削加工することにより刻設し、柄部３の外側からプレスで押圧して断面扁平状に形成すると共に、外形を整えるものであり、黄銅は鉛レスやカドニウムレス材を用いるのが好適で、更には、柄部３としてネバール材があげられ、ネバール材は含有鉛が少なく粘りがあるため、ひび割れ等を起こしにくく好適なものである。
【００２６】
更に、柄部３は、表面をバレル研磨や電解研磨等による研磨加工、又は、サンドブラスト等による梨地加工やヘアライン加工等の表面加工を施すもので、表面加工を実施した後に金メッキ加工の下処理としてニッケルメッキ加工を施し、その上に金メッキ加工するものであり、更には、図２に図示する如く、好みに応じて柄部３の先端辺に押し模様３ｂを付しても構わないものである。
【００２７】
次いで、細線ワイヤー２は、耳垢掻き部２ａをＵ字状に湾曲させると共に、先端の近傍を片面側に屈曲させて成形した後に、金メッキ加工を実施するものであるが、柄部３と同様に金メッキ加工の下処理としてニッケルメッキ加工を施し、その上に金メッキ加工しても良いものである。
【００２８】
そして、必要に応じて、柄部３の挿通部３ａの開口縁部にメッキが剥離しない程度にカシメ加工して、小突起等を無くすると共に接合端部の外周と挿通部３ａと開口縁部との隙間を無くし、細線ワイヤー２の接合端部の接着固定をより強固なものするものである。
【産業上の利用可能性】
【００２９】
本考案は、柄部の挿通部に細線ワイヤーの接合基端を挿通して接着固定させたもので、接着固定後に研磨加工等の加工を施す必要がないため、細線ワイヤーを傷めたり、削ったりすることが皆無のもので製品の安全性、歩留まりの大幅な向上と成るワイヤー式耳掻き具を提供するものである。
【図面の簡単な説明】
【００３０】
【図１】図１は本考案のワイヤー式耳掻き具の実施例を説明するための斜視図である。
【図２】図２は本考案のワイヤー式耳掻き具の次実施例の斜視図である。
【図３】図３は本考案のワイヤー式耳掻き具の実施例の分解斜視図である。
【図４】図４は本考案のワイヤー式耳掻き具の実施例の組立後の透視図である。
【図５】図５は従来のワイヤー式耳掻き具の従来例の斜視図である。
【図６】図６は従来のワイヤー式耳掻き具の次従来例の斜視図である。
【図７】図７は従来のワイヤー式耳掻き具の他の従来例の側面説明図である。
【符号の説明】
【００３１】
１      ワイヤー式耳掻き具
２      細線ワイヤー
２ａ    耳垢掻き部
２ｂ    接合基端
３      柄部
３ａ    挿通部
３ｂ    押し模様
４      接着剤
Ａ      バリ
Ｂ      危険部位
Ｃ      分離線
【図１】
0003128371.tif 000003
【図２】
0003128371.tif 000004
【図３】
0003128371.tif 000005
【図４】
0003128371.tif 000006
【図５】
0003128371.tif 000007
【図６】
0003128371.tif 000008
【図７】
0003128371.tif 000009